(57)【要約】【課題】クリーニング装置をすり抜けた残留トナーが像担持体上に残留する場合でも、残留トナーが用紙上に付着してしまうことを確実に防止できる転写装置および画像形成装置を提供する。【解決手段】本願発明に係る転写装置は、所定の極性に帯電したトナーにより回転する転写体の外周面に形成されたトナー像を、転写体に回転接触することで被転写媒体に転写する転写手段と、転写手段に転写されたトナーを除去するために、所定の極性及び所定の極性と逆の極性の電圧が印加される複数のクリーニング部を有するクリーニング手段と、クリーニング手段から転写手段の回転方向下流側に配置され、転写手段に残留するトナーを、所定の極性に帯電する帯電手段と、を備えることを特徴とする【選択図】図２
2013195559.tif 000002
【特許請求の範囲】
【請求項１】
所定の極性に帯電したトナーにより回転する転写体の外周面に形成されたトナー像を、前記転写体に回転接触することで被転写媒体に転写する転写手段と、
前記転写手段に転写されたトナーを除去するために、前記所定の極性及び前記所定の極性と逆の極性の電圧が印加される複数のクリーニング部を有するクリーニング手段と、
前記クリーニング手段から前記転写手段の回転方向下流側に配置され、前記転写手段に残留するトナーを、前記所定の極性に帯電する帯電手段と、
を備えることを特徴とする転写装置。
【請求項２】
前記転写手段は、複数のローラー部材と前記複数のローラー部材に保持されるベルト部材とからなり、前記転写体と前記ベルト部材とが接触するニップ部においてトナー像の転写を行うことを特徴とする請求項１に記載の転写装置。
【請求項３】
前記複数のローラー部材のうち、前記ベルト部材を介して前記転写体と接するローラー部材に前記所定の極性と逆の極性の電圧を印加する転写電圧印加手段を有することを特徴とする請求項２に記載の転写装置。
【請求項４】
前記帯電手段は、前記転写手段に対して非接触に配置されることを特徴とする請求項１乃至３のいずれかに記載の転写装置。
【請求項５】
画像形成手段と、
前記画像形成手段によって形成された前記トナー像を転写する、請求項１乃至４のいずれかに記載の前記転写装置と、
を備えることを特徴とする画像形成装置。
【発明の詳細な説明】
【技術分野】
【０００１】
本発明は、転写装置および画像形成装置に関する。
【背景技術】
【０００２】
電子写真方式の画像形成装置では、感光体ドラム表面を帯電し、所望の画像に対応して光ビームを感光体ドラムに照射することにより、静電潜像を形成する。静電潜像に帯電したトナーを付着させることによって、トナー像を形成する。トナー像を感光体ドラムの表面から転写ベルト等の転写体上に転写し、転写体上のトナー像をさらに用紙上に転写することによって、用紙上に画像を形成する。
【０００３】
このような画像形成装置には、感光体ドラムや転写体を含む像担持体の表面の残留トナーを除去するためのクリーニング装置が備えられている。当該クリーニング装置は、ローラー状のブラシを備え、ブラシを像担持体に当接して回転することによって、像担持体表面上の残留トナーを除去する。
【０００４】
このようなクリーニング装置を利用する技術として、クリーニングブラシにバイアス電圧を印加するものがある（たとえば、特許文献１）。この技術によれば、クリーニングブラシに一極性のバイアス電圧を印加する一方、当該クリーニングブラシから像担持体回転方向上流側のクリーニングブラシまたはローラーに、逆極性のバイアス電圧を印加する。こうすることで、上流側のクリーニングブラシによって除去されなかった、帯電された残留トナーを、静電力によって、下流側の逆極性の電圧が印加されたクリーニングブラシに回収させる。
【先行技術文献】
【特許文献】
【０００５】
【特許文献１】特開２００９−２１０９３３号公報
【発明の概要】
【発明が解決しようとする課題】
【０００６】
しかしながら、画像安定化制御等のためにトナーを大量に感光体ドラムに供給する時、クリーニング装置によって、完全に残留トナーを除去することができない場合がある。このような場合、クリーニング装置によって除去しきれなかった残留トナーについて、上記特許文献１に記載の技術は、全く考慮していない。したがって、上記特許文献１に記載の技術では、クリーニング装置をすり抜けて除去されなかった残留トナーが像担持体上に残る場合、その後の画像形成処理時に用紙の裏面に付着して、クリーニング不良の汚れとして用紙上に現れてしまう。
【０００７】
本願発明は、上記課題に基づいてなされたものであり、クリーニング装置をすり抜けた残留トナーが像担持体上に残留する場合でも、残留トナーが用紙上に付着してしまうことを防止できる転写装置および画像形成装置を提供する。
【課題を解決するための手段】
【０００８】
本発明の上記目的は、下記の手段によって達成される。
【０００９】
（１）所定の極性に帯電したトナーにより回転する転写体の外周面に形成されたトナー像を、前記転写体に回転接触することで被転写媒体に転写する転写手段と、前記転写手段に転写されたトナーを除去するために、前記所定の極性及び前記所定の極性と逆の極性の電圧が印加される複数のクリーニング部を有するクリーニング手段と、前記クリーニング手段から前記転写手段の回転方向下流側に配置され、前記転写手段に残留するトナーを、前記所定の極性に帯電する帯電手段と、を備えることを特徴とする転写装置。
【００１０】
（２）前記転写手段は、複数のローラー部材と前記複数のローラー部材に保持されるベルト部材とからなり、前記転写体と前記ベルト部材とが接触するニップ部においてトナー像の転写を行うことを特徴とする上記（１）に記載の転写装置。
【００１１】
（３）前記複数のローラー部材のうち、前記ベルト部材を介して前記転写体と接するローラー部材に前記所定の極性と逆の極性の電圧を印加する転写電圧印加手段を有することを特徴とする上記（２）に記載の転写装置。
【００１２】
（４）前記帯電手段は、前記転写手段に対して非接触に配置されることを特徴とする上記（１）乃至（３）のいずれかに記載の転写装置。
【００１３】
（５）画像形成手段と、前記画像形成手段によって形成された前記トナー像を転写する、上記（１）乃至（４）のいずれかに記載の前記転写装置と、を備えることを特徴とする画像形成装置。
【発明の効果】
【００１４】
本発明によれば、残留トナーが用紙に付着することを防止できるので、残留トナーによって用紙の裏面が汚れることを確実に防止できる。
【図面の簡単な説明】
【００１５】
【図１】本実施形態に係る画像形成装置の構成を概略的に示す断面図である。
【図２】本実施形態に係る二次転写装置、クリーニング装置およびクリーニング用帯電装置の構成を示す断面図である。
【図３】クリーニング装置をすり抜けた残留トナーの分布極性を示すグラフである。
【発明を実施するための形態】
【００１６】
以下、本発明の実施形態を、図面を参照して詳細に説明する。なお、以下の記載は、特許請求の範囲に記載される技術的範囲や用語の意義を限定するものではない。
【００１７】
図１は本実施形態に係る画像形成装置の構成を概略的に示す断面図である。
【００１８】
図１に示す画像形成装置Ａは、タンデム型カラー画像形成装置とも称されるもので、４組の画像形成部により、電子写真方式の作像プロセスを用いて画像データを用紙上に画像形成する。
【００１９】
画像読取り装置ＳＣは、原稿上の画像を読み取る。具体的には、画像読取り装置ＳＣは、走査光学系によりスリットＳＬに載置された原稿を走査露光する。原稿の画像からの反射光は、ミラーを介してラインイメージセンサーにより読み込まれる。読み込まれた反射光は、光電変換されて各色の画像信号となる。画像信号は、画像処理部（不図示）によりアナログ処理、Ａ／Ｄ変換、シェーディング補正、画像圧縮処理等が施された後、対応する色の画像形成部１０の光書込装置３にそれぞれ入力される。
【００２０】
４組の画像形成部は、イエロー（Ｙ）色の画像を形成する画像形成部１０Ｙ、マゼンタ（Ｍ）色の画像を形成する画像形成部１０Ｍ、シアン（Ｃ）色の画像を形成する画像形成部１０Ｃ、ブラック（Ｋ）色の画像を形成する画像形成部１０Ｋである。
【００２１】
画像形成部１０Ｙは、感光体ドラム１Ｙと、その周囲に配置された帯電装置２Ｙ、光書込装置３Ｙ、現像装置４Ｙおよびドラムクリーニング装置５Ｙとを有する。同様に、画像形成部１０Ｍは、感光体ドラム１Ｍと、その周囲に配置された帯電装置２Ｍ、光書込装置３Ｍ、現像装置４Ｍおよびドラムクリーニング装置５Ｍとを有する。画像形成部１０Ｃは、感光体ドラム１Ｃと、その周囲に配置された帯電装置２Ｃ、光書込装置３Ｃ、現像装置４Ｃおよびドラムクリーニング装置５Ｃとを有する。画像形成部１０Ｋは、感光体ドラム１Ｋと、その周囲に配置された帯電装置２Ｋ、光書込装置３Ｋ、現像装置４Ｋおよびドラムクリーニング装置５Ｋとを有する。なお、画像形成部１０Ｙ、１０Ｍ、１０Ｃおよび１０Ｋのそれぞれの感光体ドラム１Ｙ、１Ｍ、１Ｃおよび１Ｋ、帯電装置２Ｙ、２Ｍ、２Ｃおよび２Ｋ、光書込装置３Ｙ、３Ｍ、３Ｃおよび３Ｋ、現像装置４Ｙ、４Ｍ、４Ｃおよび４Ｋ並びにドラムクリーニング装置５Ｙ、５Ｍ、５Ｃおよび５Ｋは、それぞれ同様の機能を有する構成である。したがって、以下では、特に区別がある場合を除き、符号Ｙ、Ｍ、ＣまたはＫを付さずに表記する。
【００２２】
感光体ドラム１は、レーザー光等の光ビームにより露光され、露光された部分に潜像を形成する。具体的には、感光体ドラム１は、感光材料を表面に有し、帯電装置２により一様に帯電された表面に光書込装置３の光ビームにより露光して、露光された部分が静電潜像となる。
【００２３】
帯電装置２は、感光体ドラム１の表面を一様に帯電する。帯電装置２は、スコロトロンタイプ等のコロナ放電極を有し、当該電極によって生成されるイオンにより、感光体ドラム１の表面上を負極性に帯電する。
【００２４】
光書込装置３は、画像信号に基づいて感光体ドラム１上を光ビームにより走査露光する。帯電された感光体ドラム１の露光された部分は電位が低下し、画像信号に対応する静電潜像が感光体ドラム１上に形成される。
【００２５】
現像装置４は、潜像にトナーを供給する。具体的には、感光体ドラム１上の静電潜像の電位が低下した部分に、帯電したトナーが付着することによって、トナー像が形成される。トナー像は、各色に対応する感光体ドラム１Ｙ、１Ｍ、１Ｃおよび１Ｋ上に、それぞれ現像装置４Ｙ、４Ｍ、４Ｃおよび４Ｋがトナーを供給することによって形成される。なお、本実施形態では、トナーは、感光体ドラム１と同様に、負極に帯電しているものとする。
【００２６】
中間転写ベルト６は、無端ベルトであり、複数の支持ローラーにより架設され、走行可能に支持される。画像形成部１０Ｙ、１０Ｍ、１０Ｃおよび１０Ｋに形成された各色のトナー像は、一次転写部７Ｙ、７Ｍ、７Ｃおよび７Ｋにより、中間転写ベルト６の外周面上に逐次転写される。各色（Ｙ、Ｍ、Ｃ、Ｋ）の層が重畳することによって、カラートナー像が、中間転写ベルト６の外周面上に形成される。
【００２７】
用紙搬送部２０は、用紙Ｓを搬送する。用紙Ｓは、給紙トレイ２９１、２９２および２９３に収容されており、第１給紙部２１により給紙される。または、用紙Ｓは、手差しトレイから給紙されてもよい。用紙搬送部２０は、ループ形成ローラー対２２およびレジストローラー対２３を経て、二次転写部７Ａに用紙Ｓを搬送する。
【００２８】
両面搬送部２４は、用紙Ｓの両面に画像形成するための用紙搬送路および複数の搬送ローラー対を含む。定着装置５０で用紙Ｓの一面（表面）にカラートナー像が定着された用紙Ｓは、定着装置５０から下方の両面搬送路に搬送され、スイッチバックされてから、レジストローラー２３に再搬送されて、他面（裏面）にさらに画像が形成される。
【００２９】
二次転写装置３０は、中間転写ベルト６上のカラートナー像を、用紙Ｓ上に二次転写する。具体的には、二次転写手段としての二次転写装置３０は、二次転写部７Ａにおいて中間転写ベルト６に当接して配設されており、用紙Ｓが、二次転写装置３０の二次転写ベルト３１と中間転写ベルト６との間のニップ部（二次転写部７Ａ）を通過する。当該ニップ部において、二次転写装置３０が用紙Ｓを中間転写ベルト６に押圧すると共に回転ローラー３２にトナーと逆極性の電圧を印加することにより、カラートナー像が用紙Ｓ上に二次転写される。また、二次転写装置３０は、二次転写ベルトを架設して周回駆動するための複数の支持ローラーを備える。この際、中間転写ベルト６上の、用紙Ｓに転写される以外の部分に付着したトナーや、画像安定化制御のために中間転写ベルト６上に形成されたトナーが２次転写ベルト３１に転写される。
【００３０】
クリーニング装置４０は、静電力を利用して、２次転写ベルト６上の残留トナーを除去する。具体的には、クリーニング手段としてのクリーニング装置４０は、２つのクリーニングブラシを備え、各クリーニングブラシに異なる極性の電圧を印加することによって、二次転写ベルト上の帯電した残留トナーを除去する。本実施形態では、上述のように、二次転写装置３０の二次転写ベルトは、中間転写ベルト６に当接して配設されている。したがって、前述のように中間転写ベルト６に残留したトナーは、二次転写ベルト上に移転してしまうが、クリーニング装置４０を二次転写ベルトに配置することによって、二次転写ベルト上の残留トナーを除去することができる。二次転写装置３０およびクリーニング装置４０の詳細については、図２および図３を参照して後述する。
【００３１】
クリーニング用帯電装置４５は、クリーニング装置４０のクリーニングブラシによって除去されずにすり抜けた残留トナーを帯電する。具体的には、帯電手段としてのクリーニング用帯電装置４５は、たとえば、スコロトロンタイプ等のコロナ放電極を備え、当該電極に所定電圧を印加して生成されるイオンにより、残留トナーを帯電する。また、クリーニング用帯電装置４５を二次転写ベルト３１に対して非接触に配置することによって、剥離放電を回避して、効率的に残留トナーを帯電することができる。なお、クリーニング用帯電装置４５に印加される、残留トナーを帯電するための帯電電圧量等については後述する。
【００３２】
画像形成装置Ａの上記各部は、制御部９０と接続されており、制御部９０により適宜制御される。制御部９０の一部として構成される記憶部（不図示）には画像形成装置Ａの各種処理に対応するプログラムが記憶されており、制御部９０の一部として構成されるＣＰＵ（不図示）が各種処理に対応するプログラムを実行することにより、画像形成装置Ａの各機能が発揮される。
【００３３】
次に、本実施形態に係る二次転写装置３０、クリーニング装置４０およびクリーニング用帯電装置４５について詳細に説明する。
【００３４】
図２は本実施形態に係る二次転写装置、クリーニング装置およびクリーニング用帯電装置の構成を示す断面図、図３はクリーニング装置をすり抜けた残留トナーの分布極性を示すグラフである。
【００３５】
図２に示すように、二次転写装置３０の二次転写ベルト３１は、回転ローラー３２を含む複数の支持ローラーによって架設されている。二次転写ベルト３１は、これら支持ローラーにより周回駆動される。これらの支持ローラーのうち、回転ローラー３２には、電圧印加手段（不図示）により正極性の電圧（たとえば、５００Ｖ）が印加されている。こうすることで、二次転写ベルト３１を介した当該正極性の電圧による電位により、二次転写ベルト３１上にある負極性の残留トナーは、二次転写ベルト３１に引き寄せられる。後述するように、本実施形態では、残留トナーを負極性に帯電することによって、残留トナーを二次転写ベルト３１に引き寄せておき、残留トナーが用紙Ｓに付着することを防止できる。
【００３６】
クリーニング装置４０は、クリーニングブラシ４１および４２、回収ローラー４３および４４並びにクリーニング用帯電装置４５を備える。
【００３７】
クリーニングブラシ４１および４２は、二次転写ベルト３１に当接して回転し、二次転写ベルト３１上に付着した残留トナーや紙粉等の残留物を除去する。クリーニングブラシ４１および４２の芯金には、アクリルカーボン等からなる耐電性のブラシ繊維が、所望のパイル密度、パイル径およびパイル長で周りに植毛される。または、当該ブラシ繊維を植毛したシートを芯金に巻き付けて貼り付けてもよい。クリーニングブラシ４１および４２は、二次転写ベルト３１の回転方向に対して、たとえば逆転方向に回転駆動される。
【００３８】
回収ローラー４３および４４は、それぞれクリーニングブラシ４１および４２に当接して回転することにより、クリーニングブラシ４１および４２中の残留物をクリーニングブラシ４１および４２から回収する。クリーニングブラシ４１および４２は、それぞれ電圧印加装置４６および４７に接続され、所定電位のバイアス電圧量で、正極または負極の電圧が印加される。たとえば、回収ローラー４３には１ｋ〜２ｋＶの正極の電圧を印加し、回収ローラー４４には１ｋ〜２ｋＶの負極の電圧を印加する。
【００３９】
回収ローラー４３および４４に印加された電圧は、クリーニングブラシ４１および４２を帯電するので、極性を有する残留トナーを、静電力によりクリーニングブラシ４１および４２に誘導して除去することができる。本実施形態では、トナー像は負極に帯電したトナーを用いて形成されているので、ほとんどの残留トナーも負極に帯電している。したがって、２つのクリーニングブラシ４１および４２のうち、二次転写ベルト３１の回転方向上流側の回収ローラー４３に正極電圧を印加することによって、クリーニングブラシ４１は、負極に帯電したトナーを静電力により除去できる。
【００４０】
さらに、クリーニングブラシ４１によって除去されることなくすり抜けた残留トナーは、クリーニングブラシ４１を介して、回収ローラー４３に印加された正極電圧によって正極に帯電される。したがって、図２に示すように下流側に位置する後続のクリーニングブラシ４２を、回収ローラー４４によって負極に帯電することによって、正極に帯電した残留トナーを静電力によって除去することができる。
【００４１】
このような構成のクリーニング装置４０を使用しても、条件によっては、二次転写ベルト３１上に残留トナーが残ってしまう場合がある。この時、クリーニング装置４０によるクリーニング後、二次転写ベルト３１上に残留した残留トナーの量およびその極性分布は、図３のグラフの点線の分布曲線により示される通りである。図３の点線に示すように、正極および負極に帯電したクリーニングブラシ４１および４２をすり抜けたことで、残留トナーは、ほぼ半数ずつ正極および負極に帯電していることがわかる。また、残留トナーは、最後に負極に帯電したクリーニングブラシ４２をすり抜けているので、負極に帯電した残留トナーの量が、正極に帯電した残留トナーより若干多くなっている。
【００４２】
図２に戻って、クリーニング用帯電装置４５は、クリーニング装置３０のクリーニングブラシ４１および４２をすり抜けた、二次転写ベルト３１上の残留トナーを帯電する。クリーニング用帯電装置４５は、残留トナーを、トナー像を形成したトナーと同一極性に帯電する。本実施形態では、現像装置４に保持されるトナーは負極に帯電されるので、クリーニング用帯電装置４５は、残留トナーを負極に帯電する。負極に帯電された残留トナーは、二次転写ベルト３１の回転方向下流側において、正極に帯電した回転ローラー３２により二次転写ベルト３１に引き寄せられるので、残留トナーが用紙Ｓに付着してしまうことを防止できる。
【００４３】
クリーニング装置４０をすり抜けた後、クリーニング用帯電装置４５によって帯電された残留トナーの量およびその極性分布は、図３の実線の分布曲線によって示される通りである。図３の実線に示すように、残留トナーは、クリーニング用帯電装置４５によって帯電されたことで、ほとんどの残留トナーの極性が負極に帯電されていることがわかる。したがって、上述したように、残留トナーは二次転写ベルト３１を介して正電圧を印加された回転ローラー３２側に引き寄せられ、転写ニップの通過時に用紙Ｓに付着することを防止できる。また、上記実施形態によれば、画像形成装置Ａの電源投入時や所定枚数画像形成した定期的等に、大量のトナーを感光体ドラム１に付着させる画像安定化制御を行う場合においても、その後の画像形成時において残留トナーが用紙Ｓに付着することを防止できる。
【００４４】
（実施例）
次に、本実施形態に係るクリーニング用帯電装置４５を用いて二次転写ベルト３１上の残留トナーを帯電した後、転写ベルト上に用紙を通過させた実験の結果について説明する。
【００４５】
下記表１の「帯電電位」は、クリーニング用帯電装置４５に印加した電圧を示す。「黒化面積率」は、感光体ドラム１に負極に帯電した黒色トナーを供給し、二次転写ベルト３１に用紙を通過させて、残留トナーが付着した用紙を電子化した場合における、黒色を有する画素の数の用紙全体の画素数に対する割合を示す。「性能」は性能判定を示し、黒化面積率０．０２％は、用紙に付着したトナーを目視では確認できない程度であり、この黒化面積率以下を合格基準（○）とした。また、黒化面積率０．０９％は、用紙へのトナーの付着がわずかに認められるが実用上問題のない程度であり、この黒化面積率以下を許容基準（△）とした。この許容基準より大きい黒化面積率の基準（×）は、用紙に付着した残留トナーを目視で汚れとして確認できる程度であり、実用上適さない。
【００４６】
【表１】
2013195559.tif 000003
【００４７】
上記表１に示すように、クリーニング用帯電装置４５を使用しないと（帯電電位＝０Ｖ）、黒化面積率が合格基準にはるかに及ばない（０．２％）。一方、クリーニング用帯電装置４５を使用することにより、黒化面積率が顕著に低下したことがわかる。特に、クリーニング用帯電装置４５に、−（マイナス）７５０Ｖかそれ以上の負極性の電圧を印加することによって、黒化面積率は０．０２％以下となり、性能判定基準を満たす結果となった。
【００４８】
以上のように、本実施形態および実施例によれば、残留トナーがクリーニング装置４０によって完全に除去されない場合でも、クリーニング用帯電装置により残留トナーを帯電することによって、残留トナーが用紙に付着することを防止できる。また、本実施形態によれば、クリーニング用帯電装置４５を非接触に配置することにより、接触させて帯電する際の剥離放電を回避して、効率的に所望の極性に残留トナーを帯電することができる。
【００４９】
本発明は、上述した実施形態のみに限定されるものではなく、特許請求の範囲内において、種々改変することができる。
【００５０】
たとえば、クリーニングブラシの本数は、２本に限定されない。任意の本数を構成してもよい。また、クリーニングブラシの代わりにまたはこれに加えて、残留トナーを除去するためのクリーニングブレードをクリーニング装置に構成して、このクリーニングブレードに電圧を印加してもよい。
【００５１】
上記実施形態では、クリーニング装置４０を二次転写装置３０の二次転写ベルト３１に配置した。しかし、これに限定されない。クリーニング装置４０を二次転写後の中間転写体６に対して配置してもよい。この場合、クリーニング装置４０は、中間転写ベルト６上の残留トナーを除去することができる。
【００５２】
上記実施形態では、クリーニング用帯電装置４５を放電極から構成して、二次転写ベルト３１に対して非接触に配置されたが、これに限定されない。たとえば帯電ローラーのように、転写ベルトに対して接触する構成にしてもよい。
【符号の説明】
【００５３】
Ａ      画像形成装置、
Ｓ      用紙、
ＳＣ    画像読取り装置、
ＳＬ    スリット、
１Ｙ、１Ｍ、１Ｃ、１Ｋ    感光体ドラム、
２Ｙ、２Ｍ、２Ｃ、２Ｋ    帯電部、
３Ｙ、３Ｍ、３Ｃ、３Ｋ    光書込部、
４Ｙ、４Ｍ、４Ｃ、４Ｋ    現像装置（現像手段）、
５Ｙ、５Ｍ、５Ｃ、５Ｋ    ドラムクリーニング装置、
６      中間転写ベルト、
７Ａ    二次転写部、
７Ｙ、７Ｍ、７Ｃ、７Ｋ    一次転写部、
１０Ｙ、１０Ｍ、１０Ｃ、１０Ｋ    画像形成部、
２０    用紙搬送部、
２１    第１給紙部、
２２    ループ形成ローラー対、
２３    レジストローラー対、
２４    両面搬送路、
２５    排紙ローラー、
２９１、２９２、２９３    給紙トレイ、
３０    二次転写装置、
３１    二次転写ベルト、
３２    回転ローラー、
４０    クリーニング装置（クリーニング手段）、
４１，４２    クリーニングブラシ、
４３，４４    回収ローラー、
４５    クリーニング用帯電装置（帯電手段）、
４６，４７    電圧印加装置（電圧印加手段）、
５０    定着装置、
８０    操作表示部、
９０    制御部。
【図３】
2013195559.tif 000004
【図１】
2013195559.tif 000005
【図２】
2013195559.tif 000006